(57)【特許請求の範囲】
【請求項１】
本体部分Ｂと蓋部分Ｃからなる手帳型携帯ケースにおいて、蓋部分Ｃが、蓋ｃとヒンジ部ｈと接合補助部ｓｈからなり、本体部分Ｂの中央部Ｂｃと接合補助部ｓｈの端部ｓｈｅが回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることを特徴とする手帳型携帯ケース。
【請求項２】
本体部分Ｂの表面Ｂ１の全面に第一の色（Ｒｄ）／又は第二の色（Ｂｋ）／又は第三の色（Ｗｈ）を着色してなることを特徴とする請求項１に記載された手帳型携帯ケース。
【請求項３】
本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることを特徴とする請求項１〜２の何れかに記載された手帳型携帯ケース。
【請求項４】
蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部部分には、鉄板ｉｐを内蔵してなることを特徴とする請求項１〜３の何れかに記載された手帳型携帯ケース。
【請求項５】
蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部部分には、Ｓ極磁石Ｓを内蔵してなることを特徴とする請求項１〜４の何れかに記載された手帳型携帯ケース。
【請求項６】
蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部部分には、Ｎ極磁石Ｎを内蔵してなることを特徴とする請求項１〜５の何れかに記載された手帳型携帯ケース。
【請求項７】
本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなることを特徴とする請求項１〜６の何れかに記載されたスライド式手帳型携帯ケース。
【請求項８】
携帯端末装置Ｐｈに内蔵のカメラを使用する場合、スライド板ＳＰをスライドさせて、携帯端末装置Ｐｈのカメラ穴ＣＨが手帳型携帯ケース１００の外側に張り出すようにし、携帯端末装置Ｐｈに内蔵のカメラを使用しない場合、スライド板ＳＰをスライドさせて、携帯端末装置Ｐｈのカメラ穴ＣＨが手帳型携帯ケース１００の内側に収まるようにすることを特徴とする請求項７に記載された記載された手帳型携帯ケース。
【請求項９】
バネＫの一端Ｋ１がスライド板ＳＰの固定部Ｐ１と回転自在にピン固定され、バネＫの他端Ｋ２がスライド機構ＳＭの固定部Ｐ２と回転自在にピン固定されてなり、バネＫには残留圧縮応力が作用して、上方のストッパーｓｔ１までスライド板ＳＰを押し付けるか、あるいは、下方のストッパーｓｔ２までスライド板ＳＰを押し付けることを特徴とする請求項７〜８の何れかに記載された手帳型携帯ケース。
【発明の詳細な説明】
【技術分野】
【０００１】
本発明は、手帳型携帯ケースに関する。
【背景技術】
【０００２】
従来、携帯端末装置のカメラ穴を手帳型携帯ケースに空けた携帯機種専用の手帳型携帯ケースの技術が存在していた。
【０００３】
発明者は、従来技術の欠点等を鋭意研究することによって本発明を完成させるに至った。
【先行技術文献】
【特許文献】
【０００４】
本願発明に係る手帳型携帯ケースについて、ＦＩ、キーワード検索を行ったところ、本件発明（請求項１〜２に記載の発明）に近い発明等記載文献は、発見されなかったので、特許文献の記載は省略する。
【発明の概要】
【発明が解決しようとする課題】
【０００５】
○本発明が解決しようとする第１課題
本発明が解決しようとする第１課題は、携帯端末装置のカメラ穴を手帳型携帯ケースに空けた携帯機種専用の手帳型携帯ケースではなくて、汎用タイプの手帳型携帯ケースにスライド機構を搭載することによって携帯端末装置をスライドさせてカメラ撮影が可能な手帳型携帯ケースを提供することである。
○本発明が解決しようとする第２課題
本発明が解決しようとする第２課題は、携帯端末装置のカメラ穴を手帳型携帯ケースに開ける必要がない、携帯端末装置をスライドさせてカメラ撮影が可能な手帳型携帯ケースを提供することである。
○本発明が解決しようとする第３課題
本発明が解決しようとする第３課題は、携帯端末装置を設置する方向を変更することによって、蓋の開き方向が同じであって、蓋を閉じた時の着色を変更することができる手帳型携帯ケースを提供することである。
○本発明が解決しようとする第４課題
本発明が解決しようとする第４課題は、通常は手帳型携帯ケースは左開きが一般的だが左開き、右開きどちらでも対応可能で利き腕に合わせて使える手帳型携帯ケースを提供することである。
○本発明が解決しようとする第５課題
本発明が解決しようとする第５課題は、携帯端末装置を使い終わって蓋部を閉じる場合、留め具がワンタッチで蓋部を閉じることが可能な手帳型携帯ケースを提供することである。
○本発明が解決しようとする第６課題
本発明が解決しようとする第６課題は、携帯端末装置を使い終わって蓋部を閉じる場合、携帯端末装置と接合したスライド板が下方のストッパーまで押し付けられ、携帯端末装置を使い始める場合、蓋部を閉じる場合、携帯端末装置と接合したスライド板が上方のストッパーまで押し付けられて、携帯端末装置と接合したスライド板が途中の位置で止まることのない手帳型携帯ケースを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○本体部分Ｂとは、手帳型携帯ケース１００の構成要素の一つであって、携帯端末装置Ｐｈを収納するものである。
○蓋部分Ｃは、手帳型携帯ケース１００の構成要素の一つであって、携帯端末装置Ｐｈを収納したり、携帯端末装置Ｐｈを見える状態にするためのものである。
蓋部分Ｃは、蓋ｃとヒンジ部ｈから構成される（リバーシブルでない場合）。
あるいは、蓋部分Ｃは、蓋ｃとヒンジ部ｈと接合補助部ｓｈから構成される（リバーシブルの場合）。
○蓋ｃとは、携帯端末装置Ｐｈを使用しない場合には、携帯端末装置Ｐｈを覆って塞ぎ、携帯端末装置Ｐｈを使用する場合は、開けて携帯端末装置Ｐｈが見えるようにするものをいう。
○ヒンジ部ｈとは、本体部分Ｂと蓋部分Ｃをヒンジ構造でフレクシブルに結合するものであり、手帳に例えれば、背表紙に相当するものである。
○本体部分Ｂの端部Ｂｅとは、本体部Ｂの上下方向の一辺をいう。
○蓋部分Ｃのヒンジ部ｈの端部ｈｅとは、ヒンジ部ｈの上下方向の一辺をいう。
○回転自在にピン結合とは、本体部分Ｂの端部Ｂｅと蓋部分Ｃのヒンジ部ｈの端部ｈｅとが結合して、ヒンジ部ｈが本体部Ｂの裏面Ｂ２に回転自在に動き得ることをいう。
○本体部分Ｂの表面Ｂ１とは、スライド機構ＳＭが搭載された側の本体部分Ｂの面をいう。
○スライド機構ＳＭは、スライド枠ＳＦ（左方のスライド枠ＳＦ、右方のスライド枠ＳＦがある。）、スライド板ＳＰ、ストッパーＳｔ（上方のストッパーＳｔ１、下方のストッパーＳｔ２がある。）、バネＫ等からなり、スライド板ＳＰがスライド枠ＳＦの間をスライドするようにさせるための機構である。
○スライド枠ＳＦとは、スライド機構ＳＭのスライド板ＳＰを上下方向のみ移動するように拘束するもので（表裏方向及び左右方向が拘束され、上下方向のスライドが許容されている。）、スライド枠ＳＦの凹部とスライド板凸部がある程度の隙間を有するよう嵌合してなる。
○スライド板ＳＰとは、スライド機構ＳＭの構成要素であり、スライド板ＳＰがスライド枠ＳＦの間をスライドさせて、スライド板ＳＰの表面ＳＰ１に接合した携帯端末装置Ｐｈを上下にスライドさせるものである。
○携帯端末装置Ｐｈとは、据え置き型端末装置に対するもので、携帯できる端末装置のことをいう。携帯端末装置Ｐｈには、携帯電話、スマートフォンも含まれ、さらに、電話機能のないスマートフォンも含まれる。
○手帳型携帯ケース１００とは、本体部分Ｂと蓋部分Ｃと、本体部分Ｂと蓋部分Ｃがヒンジ部ｈ、本体部分Ｂの開閉部ＢＯに磁石体Ｍ２を内包する長方形板係止材Ｋ２が取り付けてなり、蓋部分Ｃの開閉部ＣＯに磁石体Ｍ１を内包する長方形板係止材Ｋ１が取り付けてなるものである。
○カメラ穴ＣＨとは、携帯端末装置Ｐｈに内蔵されたカメラで撮影する場合に、光を取り入れるための穴である。カメラ穴ＣＨが塞がれると、携帯端末装置Ｐｈに内蔵されたカメラで撮影することができなくなる。
○手帳型携帯ケース１００の外側とは、手帳型携帯ケース１００の輪郭の外側（特に、上方のストッパーの輪郭の上側）をいう。
○手帳型携帯ケース１００の内側とは、手帳型携帯ケース１００の輪郭の内側（特に、上方のストッパーの輪郭の下側）をいう。
○接合補助部ｓｈとは、蓋ｃを閉じる場合に、本体部Ｂの裏面Ｂ２の裏側に位置する、リバーシブルの場合の蓋部分Ｃの構成要素である。
○本体部分Ｂの中央部Ｂｃとは、本体部分Ｂの裏面Ｂ２の中央部（左右を折半する中央垂直線）をいう。
○接合補助部ｓｈの端部ｓｈｅとは、接合補助部ｓｈのヒンジ部ｈ側と反対側の上下方向の辺をいう。
○蓋部分Ｃの表面Ｃ１とは、蓋部分Ｃを閉じた場合の表側になる面（リバーシブルしない場合の表側の面）をいう。
○第一の色（Ｒｄ）とは、蓋部分Ｃを閉じた場合の、蓋部分Ｃの色（リバーシブルしない場合の通常の色）をいう。
○蓋部分Ｃの裏面Ｃ２とは、蓋部分Ｃを閉じた場合に裏側になる面（リバーシブルしない場合の裏側の面であるが、リバーシブルする場合に表側になる面）をいう。
○第二の色（Ｂｋ）とは、蓋部分Ｃを閉じた場合の、蓋部分Ｃの色（リバーシブルする場合の色）をいう。
○本体部Ｂの裏面Ｂ２の半面Ｂ２１とは、本体部Ｂの裏面Ｂ２の半面のうち第一の色（Ｒｄ）を着色した半面をいう。
○本体部Ｂの裏面Ｂ２の半面Ｂ２２とは、本体部Ｂの裏面Ｂ２の半面のうち第二の色（Ｂｋ）を着色した半面をいう。
○本体部分Ｂの表面Ｂ１とは、本体部分の表側の面をいう。
○蓋ｃの端部ｃ１とは、蓋ｃのヒンジ部ｈ側の反対側の辺をいう。
○留め具ｔｇとは、本体部分Ｂと蓋Ｃをマグネットロックするための一方の部材であって、蓋ｃの端部ｃ１に取り付けてなる。
○鉄板ｉｐとは、留め具ｔｇには、Ｎ極磁石Ｎ及びＳ極磁石Ｓを内蔵してなる場合、蓋部分Ｃを閉じる場合に留め具ｔｇと対応する本体部部分に内蔵してなる磁性体である。
留め具ｔｇに内蔵されたＮ極磁石Ｎ及びＳ極磁石Ｓと、蓋部分Ｃを閉じる場合に留め具ｔｇと対応する本体部部分に内蔵してなる磁性体との間で磁気回路を形成して、留め具ｔｇと留め具ｔｇと対応する本体部部分の間で吸引力が働き、留め具ｔｇと留め具ｔｇと対応する本体部部分Ｂがロックされる。
○Ｎ極磁石Ｎとは、留め具ｔｇに内包されているＮ極の永久磁石である。
○Ｓ極磁石Ｓとは、留め具ｔｇに内包されているＳ極の永久磁石である。
○バネＫは、バネＫの一端Ｋ１がスライド板ＳＰの固定部Ｐ１と回転自在にピン固定され、バネＫの他端Ｋ２がスライド機構ＳＭの固定部Ｐ２と回転自在にピン固定されてなり、バネＫには残留圧縮応力が作用して、上のストッパーｓｔ１までスライド板ＳＰを押し付けるか、あるいは、下のストッパーｓｔ２までスライド板ＳＰを押し付けるために弾性エネルギーを蓄積する機械要素をいう。
バネＫは、バネＫ自体がコンパクトにスライド板ＳＰの裏面ＳＰ２とスライド機構ＳＭの底面に挟まれた平面空間に収納させることを考慮して二次元的なジグザグ状に形成してなることが望ましい。
○固定部Ｐ１とは、スライド板ＳＰの裏面ＳＰ２に垂直に取付けてなり、バネＫの一端Ｋ１は回転自在にピン固定されてなる固定部をいう。
○固定部Ｐ２とは、スライド機構ＳＭの底面に垂直に取付けてなり、バネＫの他端Ｋ２は回転自在にピン固定されてなる固定部をいう。
○上方向とは、紙面視上方向をいい、下方向とは、紙面視下方向をいい、左方向とは、紙面視左方向をいい、右方向とは、紙面視右方向をいう（図３の（Ａ）図、図５、図６）。
○表面（「おもてめん」と読む。）とは、紙面視、手前方向の面をいい、裏面（「うらめん」と読む。）とは面視、紙背方向の向をいう（図３の（Ａ）図、図５、図６、図７、図８）。
○第１の発明（請求項１に記載の発明）
上記の課題を解決するための第１の発明（請求項１に記載の発明）は、本体部分Ｂと蓋部分Ｃからなる手帳型携帯ケースにおいて、蓋部分Ｃが、蓋ｃとヒンジ部ｈと接合補助部ｓｈからなり、本体部分Ｂの中央部Ｂｃと接合補助部ｓｈの端部ｓｈｅが回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることを特徴とする手帳型携帯ケースである。
○第２の発明（請求項２に記載の発明）
上記の課題を解決するための第２の発明（請求項２に記載の発明）は、本体部分Ｂの表面Ｂ１の全面に第一の色（Ｒｄ）／又は第二の色（Ｂｋ）／又は第三の色（Ｗｈ）を着色してなることを特徴とする請求項１に記載された手帳型携帯ケースである。
○第３の発明（請求項３に記載の発明）
上記の課題を解決するための第3の発明（請求項３に記載の発明）は、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることを特徴とする請求項１〜２の何れかに記載された手帳型携帯ケースである。
○第４の発明（請求項４に記載の発明）
上記の課題を解決するための第４の発明（請求項４に記載の発明）は、蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部部分には、鉄板ｉｐを内蔵してなることを特徴とする請求項１〜３の何れかに記載された手帳型携帯ケースである。
○第５の発明（請求項５に記載の発明）
上記の課題を解決するための第５の発明（請求項５に記載の発明）は、蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部部分には、Ｓ極磁石Ｓを内蔵してなることを特徴とする請求項１〜４の何れかに記載された手帳型携帯ケースである。
○第６の発明（請求項６に記載の発明）
上記の課題を解決するための第６の発明（請求項６に記載の発明）は、蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部部分には、Ｎ極磁石Ｎを内蔵してなることを特徴とする請求項１〜５の何れかに記載された手帳型携帯ケースである。
○第７の発明（請求項７に記載の発明）
上記の課題を解決するための第７の発明（請求項７に記載の発明）は、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなることを特徴とする請求項１〜６の何れかに記載された手帳型携帯ケースである。
○第８の発明（請求項８に記載の発明）
上記の課題を解決するための第８の発明（請求項８に記載の発明）は、携帯端末装置Ｐｈに内蔵のカメラを使用する場合、スライド板ＳＰをスライドさせて、携帯端末装置Ｐｈのカメラ穴ＣＨが手帳型携帯ケース１００の外側に張り出すようにし、携帯端末装置Ｐｈに内蔵のカメラを使用しない場合、スライド板ＳＰをスライドさせて、携帯端末装置Ｐｈのカメラ穴ＣＨが手帳型携帯ケース１００の内側に収まるようにすることを特徴とする請求項１〜７の何れかに記載されたた手帳型携帯ケースである。
○第９の発明（請求項９に記載の発明）
上記の課題を解決するための第９の発明（請求項９に記載の発明）は、バネＫの一端Ｋ１がスライド板ＳＰの固定部Ｐ１と回転自在にピン固定され、バネＫの他端Ｋ２がスライド機構ＳＭの固定部Ｐ２と回転自在にピン固定されてなり、バネＫには残留圧縮応力が作用して、上方のストッパーｓｔ１までスライド板ＳＰを押し付けるか、あるいは、下方のストッパーｓｔ２までスライド板ＳＰを押し付けることを特徴とする請求項１〜８の何れかに記載された手帳型携帯ケースである。
【発明の効果】
【０００７】
本発明に係る、手帳型携帯ケースは、上記のような特徴的構成要件から構成され、特徴的構成要件に応じた、以下のような本願発明特有の効果を奏する。
また、上記の各発明に応じた、上記のような特徴的構成要件から構成された手帳型携帯ケースによれば、本願発明の課題を十分解消することができた。
○第１の発明の効果
第１の発明によれば、本体部分Ｂと蓋部分Ｃからなる手帳型携帯ケースにおいて、蓋部分Ｃが、蓋ｃとヒンジ部ｈと接合補助部ｓｈからなり、本体部分Ｂの中央部Ｂｃと接合補助部ｓｈの端部ｓｈｅが回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることという特徴的な構成要件により、本発明が解決しようとする第１課題〜第６課題を達成することができ、当業者予測不可能な顕著な効果を奏することができた。
○第２の発明の効果
第２の発明によれば、本体部分Ｂの表面Ｂ１の全面に第一の色（Ｒｄ）／又は第二の色（Ｂｋ）／又は第三の色（Ｗｈ）を着色してなることという特徴的な構成要件により、本発明が解決しようとする第１課題〜第６課題を達成することができ、当業者予測不可能な顕著な効果を奏することができた。
○第３の発明の効果
第３の発明によれば、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることという特徴的な構成要件により、本発明が解決しようとする第１課題〜第６課題を達成することができ、当業者予測不可能な顕著な効果を奏することができた。
○第４の発明の効果
第４の発明によれば、蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部部分には、鉄板ｉｐを内蔵してなることという特徴的な構成要件により、本発明が解決しようとする第１課題〜第６課題を達成することができ、当業者予測不可能な顕著な効果を奏することができた。
○第５の発明の効果
第５の発明によれば、蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部部分には、Ｓ極磁石Ｓを内蔵してなることという特徴的な構成要件により、本発明が解決しようとする第１課題〜第６課題を達成することができ、当業者予測不可能な顕著な効果を奏することができた。
○第６の発明の効果
第６の発明によれば、蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部部分には、Ｎ極磁石Ｎを内蔵してなることという特徴的な構成要件により、本発明が解決しようとする第１課題〜第６課題を達成することができ、当業者予測不可能な顕著な効果を奏することができた。
○第７の発明の効果
第７の発明によれば、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなることという特徴的な構成要件により、本発明が解決しようとする第１課題〜第６課題を達成することができ、当業者予測不可能な顕著な効果を奏することができた。
○第８の発明の効果
第８の発明によれば、携帯端末装置Ｐｈに内蔵のカメラを使用する場合、スライド板ＳＰをスライドさせて、携帯端末装置Ｐｈのカメラ穴ＣＨが手帳型携帯ケース１００の外側に張り出すようにし、携帯端末装置Ｐｈに内蔵のカメラを使用しない場合、スライド板ＳＰをスライドさせて、携帯端末装置Ｐｈのカメラ穴ＣＨが手帳型携帯ケース１００の内側に収まるようにすることという特徴的な構成要件により、本発明が解決しようとする第１課題〜第６課題を達成することができ、当業者予測不可能な顕著な効果を奏することができた。
○第９の発明の効果
第９の発明によれば、バネＫの一端Ｋ１がスライド板ＳＰの固定部Ｐ１と回転自在にピン固定され、バネＫの他端Ｋ２がスライド機構ＳＭの固定部Ｐ２と回転自在にピン固定されてなり、バネＫには残留圧縮応力が作用して、上方のストッパーｓｔ１までスライド板ＳＰを押し付けるか、あるいは、下方のストッパーｓｔ２までスライド板ＳＰを押し付けることという特徴的な構成要件により、本発明が解決しようとする第１課題〜第６課題を達成することができ、当業者予測不可能な顕著な効果を奏することができた。
【発明を実施するための最良の形態】
【０００８】
以下、本発明に係る、手帳型携帯ケースに関する最良の実施形態について、図面を参照しながら説明する。
図１は、出願当初の請求項１〜２に記載された本発明の斜視図である。
図２は、リバーシブルタイプの本発明の斜視図である。
図３は、本発明に係るスライド機構の正面図（（Ａ）図）、左側面図（（Ｂ）図）、底面図（（Ｃ）図）を表す。
図４は、図３のＡ−Ａ断面矢視図を表す。
図５は、リバーシブルタイプの本発明の使用状態が通常の場合の使用状態を表す斜視図である。
図６は、リバーシブルタイプの本発明の使用状態がリバーシブルの場合の使用状態を表す斜視図である。
図７は、本発明に係る本体不文の正面図（（Ａ）図）、背面図（（Ｂ）図）を表す。
図８は、本発明に係る蓋部分の正面図（（Ａ）図）、背面図（（Ｂ）図）を表す。
以下、本発明に係る、手帳型携帯ケースについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の手帳型携帯ケースにおいて、本体部分Ｂと蓋部分Ｃからなる手帳型携帯ケースにおいて、蓋部分Ｃが、蓋ｃとヒンジ部ｈと接合補助部ｓｈからなり、本体部分Ｂの中央部Ｂｃと接合補助部ｓｈの端部ｓｈｅが回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることを特徴とする手帳型携帯ケース１００が開示されている。
○第１の発明の効果
第１の発明によれば、本体部分Ｂと蓋部分Ｃからなる手帳型携帯ケースにおいて、蓋部分Ｃが、蓋ｃとヒンジ部ｈと接合補助部ｓｈからなり、本体部分Ｂの中央部Ｂｃと接合補助部ｓｈの端部ｓｈｅが回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることという特徴的な構成要件により、本発明が解決しようとする第１課題〜第６課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の手帳型携帯ケースにおいて、本体部分Ｂの表面Ｂ１の全面に第一の色（Ｒｄ）／又は第二の色（Ｂｋ）／又は第三の色（Ｗｈ）を着色してなることを特徴とする請求項１に記載された手帳型携帯ケース１００が開示されている。
○第２の発明の効果
第２の発明によれば、本体部分Ｂの表面Ｂ１の全面に第一の色（Ｒｄ）／又は第二の色（Ｂｋ）／又は第三の色（Ｗｈ）を着色してなることという特徴的な構成要件により、本発明が解決しようとする第１課題〜第６課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の手帳型携帯ケースにおいて、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることを特徴とする請求項１〜２の何れかに記載された手帳型携帯ケース１００が開示されている。
○第３の発明の効果
第３の発明によれば、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることという特徴的な構成要件により、本発明が解決しようとする第１課題〜第６課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の手帳型携帯ケースにおいて、蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部部分には、鉄板ｉｐを内蔵してなることを特徴とする請求項１〜３の何れかに記載された手帳型携帯ケース１００が開示されている。
○第４の発明の効果
第４の発明によれば、蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部部分には、鉄板ｉｐを内蔵してなることという特徴的な構成要件により、本発明が解決しようとする第１課題〜第６課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の手帳型携帯ケースにおいて、蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部部分には、Ｓ極磁石Ｓを内蔵してなることを特徴とする請求項１〜４の何れかに記載された手帳型携帯ケース１００が開示されている。
○第５の発明の効果
第５の発明によれば、蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部部分には、Ｓ極磁石Ｓを内蔵してなることという特徴的な構成要件により、本発明が解決しようとする第１課題〜第６課題を達成することができ、当業者予測不可能な顕著な効果を奏することができた。という特徴的な構成要件により、本発明が解決しようとする第１課題〜第６課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の手帳型携帯ケースにおいて、蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部部分には、Ｎ極磁石Ｎを内蔵してなることを特徴とする請求項１〜５の何れかに記載された手帳型携帯ケース１００が開示されている。
○第６の発明の効果
第６の発明によれば、蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部部分には、Ｎ極磁石Ｎを内蔵してなることという特徴的な構成要件により、本発明が解決しようとする第１課題〜第６課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の手帳型携帯ケースにおいて、本体部分Ｂと蓋部分Ｃからなる手帳型携帯ケースにおいて、蓋部分Ｃが、蓋ｃとヒンジ部ｈからなり、本体部分Ｂの端部Ｂｅと蓋部分Ｃのヒンジ部ｈの端部ｈｅが回転自在にピン結合されてなり、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなることを特徴とする請求項１〜６の何れかに記載された手帳型携帯ケース１００が開示されている。
○第７の発明の効果
第７の発明によれば、本体部分Ｂと蓋部分Ｃからなる手帳型携帯ケースにおいて、蓋部分Ｃが、蓋ｃとヒンジ部ｈからなり、本体部分Ｂの端部Ｂｅと蓋部分Ｃのヒンジ部ｈの端部ｈｅが回転自在にピン結合されてなり、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなることという特徴的な構成要件により、本発明が解決しようとする第１課題〜第６課題を達成することができ、当業者予測不可能な顕著な効果を奏することができた。
８８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の手帳型携帯ケースにおいて、携帯端末装置Ｐｈに内蔵のカメラを使用する場合、スライド板ＳＰをスライドさせて、携帯端末装置Ｐｈのカメラ穴ＣＨが手帳型携帯ケース１００の外側に張り出すようにし、携帯端末装置Ｐｈに内蔵のカメラを使用しない場合、スライド板ＳＰをスライドさせて、携帯端末装置Ｐｈのカメラ穴ＣＨが手帳型携帯ケース１００の内側に収まるようにすることを特徴とする請求項１〜７の何れかに記載された手帳型携帯ケース１００が開示されている。
○第８の発明の効果
第８の発明によれば、携帯端末装置Ｐｈに内蔵のカメラを使用する場合、スライド板ＳＰをスライドさせて、携帯端末装置Ｐｈのカメラ穴ＣＨが手帳型携帯ケース１００の外側に張り出すようにし、携帯端末装置Ｐｈに内蔵のカメラを使用しない場合、スライド板ＳＰをスライドさせて、携帯端末装置Ｐｈのカメラ穴ＣＨが手帳型携帯ケース１００の内側に収まるようにすることという特徴的な構成要件により、本発明が解決しようとする第１課題〜第６課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の手帳型携帯ケースにおいて、バネＫの一端Ｋ１がスライド板ＳＰの固定部Ｐ１と回転自在にピン固定され、バネＫの他端Ｋ２がスライド機構ＳＭの固定部Ｐ２と回転自在にピン固定されてなり、バネＫには残留圧縮応力が作用して、上方のストッパーｓｔ１までスライド板ＳＰを押し付けるか、あるいは、下方のストッパーｓｔ２までスライド板ＳＰを押し付けることを特徴とする請求項１〜８の何れかに記載された手帳型携帯ケース１００が開示されている。
○第９の発明の効果
第９の発明によれば、バネＫの一端Ｋ１がスライド板ＳＰの固定部Ｐ１と回転自在にピン固定され、バネＫの他端Ｋ２がスライド機構ＳＭの固定部Ｐ２と回転自在にピン固定されてなり、バネＫには残留圧縮応力が作用して、上方のストッパーｓｔ１までスライド板ＳＰを押し付けるか、あるいは、下方のストッパーｓｔ２までスライド板ＳＰを押し付けることという特徴的な構成要件により、本発明が解決しようとする第１課題〜第６課題を達成することができ、当業者予測不可能な顕著な効果を奏することができた。
【図面の簡単な説明】
【０００９】
【図１】図１は、出願当初の請求項１〜２に記載された本発明の斜視図である。
【図２】図２は、リバーシブルタイプの本発明の斜視図である。
【図３】図３は、本発明に係るスライド機構の正面図（（Ａ）図）  、左側面図（（Ｂ）図）、底面図（（Ｃ）図）  を表す。
【図４】図４は、図３のＡ−Ａ断面矢視図を表す。
【図５】図５は、リバーシブルタイプの本発明の使用状態が通常の場合の使用状態を表す斜視図である。
【図６】図６は、リバーシブルタイプの本発明の使用状態がリバーシブルの場合の使用状態を表す斜視図である。
【図７】図７は、本発明に係る本体不文の正面図（（Ａ）図）、背面図（（Ｂ）図）を表す。
【図８】図８は、本発明に係る蓋部分の正面図（（Ａ）図）、背面図（（Ｂ）図）を表す。
【符号の説明】
【００１０】
Ｂ…本体部分
Ｃ…蓋部分
ｃ…蓋
ｈ…ヒンジ部
ｓｈ…接合補助部
Ｂｃ…本体部分Ｂの中央部
ｓｈｅ…接合補助部ｓｈの端部
Ｂｅ…本体部分Ｂの端部
ｈｅ…蓋部分Ｃのヒンジ部ｈの端部
Ｂ１…本体部分Ｂの表面
１００…手帳型携帯ケース１００
Ｏｕｔ…手帳型携帯ケース１００の外側
Ｉｎ…手帳型携帯ケース１００の内側
Ｂｓｈ…本体部分Ｂの中央部Ｂｃと接合補助部ｓｈの端部ｓｈｅの接合部
Ｃ１…蓋部分Ｃの表面
Ｃ２…蓋部分Ｃの裏面
Ｂ２１…本体部Ｂの裏面Ｂ２の半面
Ｂ２２…本体部Ｂの裏面Ｂ２の半面
Ｂ１…本体部分Ｂの表面
Ｂ２…本体部分Ｂの裏面
ｃ１…蓋ｃの端部
ｉｐ…鉄板
ｔｇ…留め具
Ｓ…Ｓ極磁石
Ｎ…Ｎ極磁石
Ｓ…Ｓ極磁石
ＳＭ…スライド機構
ＳＦ…スライド枠
ＳＰ…スライド板
Ｐｈ…携帯端末装置
ＣＨ…カメラ穴
Ｋ…バネ
Ｐ１…固定部
Ｐ２…固定部
【要約】
【課題】携帯端末装置のカメラ穴を手帳型携帯ケースに空けた携帯機種専用の手帳型携帯ケースではなくて、汎用タイプの手帳型携帯ケースにスライド機構を搭載することによって携帯端末装置をスライドさせてカメラ撮影が可能なスライド式手帳型携帯ケースを提供することである。
【解決手段】本体部分Ｂと蓋部分Ｃからなるスライド式手帳型携帯ケースにおいて、蓋部分Ｃが、蓋ｃとヒンジ部ｈからなり、本体部分Ｂの端部Ｂｅと蓋部分Ｃのヒンジ部ｈの端部ｈｅが回転自在にピン結合されてなり、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなることを特徴とするスライド式手帳型携帯ケース１００。
【選択図】図１【図１】
0005923643.tif 000002
【図２】
0005923643.tif 000003
【図３】
0005923643.tif 000004
【図４】
0005923643.tif 000005
【図５】
0005923643.tif 000006
【図６】
0005923643.tif 000007
【図７】
0005923643.tif 000008
【図８】
0005923643.tif 000009